(57)【特許請求の範囲】
【請求項１】
引戸の戸先部に装着された縦長の移動ケース内において、上下方向に移動可能に収納された一対のローラを転動自在に枢着した基端部を有し、係合孔を開口させた自由端が、基端を中心にして、引戸に平行な平面内で回動できるように案内されたガードアームと、引戸の戸先に対向する戸枠に装着され、上記ガードアームの自由端が挿入されるスリットを開口させた固定ケースを有し、この固定ケース内に、コイル部を前後方向に貫通し、引戸に垂直な水平方向に移動可能なプランジャを有するソレノイドを装着し、このプランジャの前端に、スリットを通って固定ケース内に挿入されるガードアームの自由端との相互作用により、自動的に係合孔に投入されるラッチ体を回り止めを施して装着し、一方、プランジャの後端に矩形のばね受け板を固定して、その直線状の端縁を固定ケースの固定面板の裏面に摺接させることによりプランジャの回り止めを施すと共に、ばね受け板とソレノイドのコイル部との間にリリースばねを弾装することによりプランジャを後方に付勢し、ソレノイドに通電することにより作動状態に設定するようにした掛け金機構とを有することを特徴とする引戸のガードアーム装置。
【請求項２】
上記ラッチ体が、操作杆の前端においてその軸線方向に摺動可能に案内され、スリットに対向する側に傾斜面を形成すると共に、前方に付勢された柱状体である請求項１に記載の引戸のガードアーム装置。
【請求項３】
上記ラッチ体が、操作杆の前端に回動可能に軸支され、その回動軸より前方の係合部がスリットに近接しない方向に回り止が施されると共に、係合部がスリットに近接する方向に付勢されたレバー体である請求項１に記載の引戸のガードアーム装置。
【発明の詳細な説明】
【０００１】
【発明の属する技術分野】
この発明は、引戸のガードアーム装置に係り、特に、在室者が病気で倒れる、等の緊急時、室外から解除できるようにした引戸のガードアーム装置に関する。
【０００２】
【従来の技術】
引戸の開放量を半開き状態に制限し、来訪者の確認や郵便の受け渡し等を安全に行うため、通常、ドアチェーン装置や、連結杆すなわち錠止片をスライドさせて掛け止める内締り錠等が使用される。
【０００３】
しかしながら、これらの従来の内締りタイプの装置によれば、室内側からのみ掛け外しが行われるので、在室者が急病で倒れた場合等の非常時には室外側から引戸を開放できない、という問題がある。
【０００４】
また、ドアチェーン装置は、長孔を備えた受け金具に対するチェーン先端のプラグの掛け外しがかなり面倒である、等の問題がある。
【０００５】
一方、受け金具に掛けられたチェーン先端のプラグを室外側から外す装置として、例えば特開昭６３−１５１７７８号公報に記載されている発明のように、チェーンの先端部を係着させる係止杆をソレノイドで摺動させて外す着脱装置も開発されているが、これによればチェーンの係着の際にも一々スイッチを入れて通電しなければ作動できず、操作が面倒である。
【０００６】
【発明が解決しようとする課題】
この発明は、引戸の戸先端縁に装着されたガードアームの先端を装置本体のスリットに差込むだけで簡単にガードアーム装置を作動させることができ、しかも、非常時には室外側からもそのガードアーム装置を解除できるようにすることを目的として提案されたものである。
【０００７】
【課題を解決するための手段】
上記の目的を達成するため、この発明は、引戸の戸先部に装着された縦長の移動ケース内において、上下方向に移動可能に収納された一対のローラを転動自在に枢着した基端部を有し、係合孔を開口させた自由端が、基端を中心にして、引戸に平行な平面内で回動できるように案内されたガードアームと、引戸の戸先に対向する戸枠に装着され、上記ガードアームの自由端が挿入されるスリットを開口させた固定ケースを有し、この固定ケース内に、コイル部を前後方向に貫通し、引戸に垂直な水平方向に移動可能なプランジャを有するソレノイドを装着し、このプランジャの前端に、スリットを通って固定ケース内に挿入されるガードアームの自由端との相互作用により、自動的に係合孔に投入されるラッチ体を回り止めを施して装着し、一方、プランジャの後端に矩形のばね受け板を固定して、その直線状の端縁を固定ケースの固定面板の裏面に摺接させることによりプランジャの回り止めを施すと共に、ばね受け板とソレノイドのコイル部との間にリリースばねを弾装することによりプランジャを後方に付勢し、ソレノイドに通電することにより作動状態に設定するようにした掛け金機構とを有することを特徴とする。
【０００８】
【発明の実施の態様】
以下、図面に示す２つの実施例に基づいて、この発明について説明する。
図１において符号１は引戸を、符号２は引戸の戸枠を、符号３は引戸１の戸先端縁に埋設された移動ケースを、符号４はガードアームを、符号５は引戸１の戸先に対向する戸枠に埋設された固定ケースをそれぞれ示している。
【０００９】
図示の実施例では、図２及び図３に示すように、上記移動ケース３は引戸１の戸先端縁に埋設された一面が開口した細長い箱状体であり、その開口部を覆うようにこれに一体に結合された移動面板３ａの中央部には、ガードアーム４が振り出される細長いスリット３ｂが開口している。
【００１０】
この移動ケース３内には、例えば全体の形状がへ字状をしたガードアーム４が収納されている。
【００１１】
すなわち、ガードアーム４の下方の基端には、１対のローラー６、６が転動自在に枢着されており、これらのローラー６、６は移動ケース３内を上下方向に移動可能である。
【００１２】
一方、ガードアーム４の上方の自由端は、ローラー６、６に対し回動可能であるから、図３に鎖線で示すように、ガードアーム４の自由端は、上下方向の移動と基端の回りの回動の２つの自由度を持っている。
【００１３】
また、ガードアームの自由端には、後述する掛け金機構のラッチ体が投入される円形の係合孔が開口している。
【００１４】
なお、図３において実線で示すガードアーム４の収納状態において、ガードアームの自由端が外側に振り出されないように、移動ケース３内に例えば永久磁石による係着部材８を設け、一方ガードアーム４を磁性体で構成して、磁力によりガードアームを保持するようにすると良い。
【００１５】
また、上記係着部材８を一対の板ばね材で構成し（図示せず）、これらの板ばね材によりガードアーム４を挟持するようにしてもよい。
【００１６】
一方、引戸が閉鎖されたとき移動ケース３と対向する戸枠２の部位には、図１に示すように、次に述べる掛け金機構を収納した固定ケース５が埋設されている。
【００１７】
上記固定ケース５は、図４及び図５に示すように、戸枠に埋設され、一面が開口した箱状体であり、その開口を覆うように、固定面板５ａが一体に結合されている。
【００１８】
そして、固定ケース５は、この固定面板５ａを戸枠にねじ止めすることにより、引戸１の戸先に対向する戸枠２に装着されている。
【００１９】
また、引戸閉鎖時前記ガードアーム４の自由端に対向する固定面板５ａの部位には、縦長のスリット５ｂが開口しており、図５に示すように、このスリット５ｂを通って移動ケース５内にガードアーム４の自由端が挿入される。
【００２０】
上記固定ケース５内には、ソレノイド９がねじ止めされており（図８参照）、掛け金機構１１は、このソレノイド９を土台として固定ケース５内に装着されている。
【００２１】
すなわち、図示の実施例におけるソレノイド９は、コイル部を前後方向に貫通する、掛け金機構の操作杆となるプランジャ１２を備えており、このプランジャ１２のスリット５ｂに近い方の前端部（図４及び図５で左端部）には、小径段部付の筒状のラッチ体１３が前後方向に摺動可能に嵌合している。
【００２２】
このラッチ体１３の外側面には、その母線に沿って、細長いガイド孔１３ａが開口しており、プランジャの前端部に植設されたガイドピン１４がこのガイド孔１３ａに摺動可能に係合している。
【００２３】
上記ガイド孔１３ａとガイドピン１４との係合は、ラッチ体１３のプランジャ軸線回りの回り止と、ラッチ体１３の前後方向の移動量の規制の両方の機能を担持している。
【００２４】
また、ラッチ体１３の内部には、図５に示すように、圧縮コイルばねとしてのラッチばね１５が弾装されており、このラッチばね１５の弾力により、ラッチ体１３はプランジャ１２に対し前方に付勢されている。
【００２５】
更にまた、ラッチ対１３の小径段部の移動面板のスリット５ｂに対向する側には、傾斜面１６が形成されている。
【００２６】
一方、図５に示すように、プランジャ１２の後端には矩形（図６参照）のばね受け板１７がかしめ付けられており、このばね受け板とソレノイドのコイル部との間のプランジャ１２には、圧縮コイルばねとしてのリリースばね１８が巻装されている。
【００２７】
したがって、プランジャ１２はリリースばね１８の弾力により後方に付勢されると共に、ばね受け板１７の直線状の端縁が固定面板５ａの裏面に摺接可能に接合していることから（図６参照）、プランジャ１２の回り止が施されることになる。
【００２８】
上記のように構成されたこの発明の第１の実施例による引戸のガードアーム装置は、使用時、ソレノイド９は通電され、プランジャ１２は前方、すなわちラッチ体１３が固定面板のスリット５ｂに近接する位置に駆動される。
【００２９】
そして、引戸閉鎖の直前に、引戸の戸先端縁から突出したガードアーム４の自由端が固定面板のスリット５ｂから固定ケース５内に挿入される（図５参照）。
【００３０】
すると、ガードアーム４の自由端がラッチ体１３の傾斜面１６に当接し、更にガードアーム４が挿入されると、ガードアームと傾斜面との間に生じる楔作用により、ラッチ体１３はラッチばね１５の弾力に抗して後方に移動する。
【００３１】
更にガードアーム４が奥深く挿入され、その係合孔７とラッチ体１３とがほぼ整合すると、図７に示すように、プランジャ１２に対しラッチ体１３が相対的に前方に移動し係合孔７に自動的に投入される。
【００３２】
この状態では、図７及び図８に示すように、係合孔７の開口端縁はラッチ体１３の小径段部の円筒部に係合するから、図８でガードアーム４が右方に移動できず、したがってガードアーム４の自由端はラッチ体１３に係止されることになる。
【００３３】
この状態で引戸を開けると、ガードアーム４は、その係合孔７をラッチ体に係合させた状態で、移動ケース３から振り出されると共に移動ケース３内を上昇し（図３の鎖線参照）、引戸１の開放量を制限する。
【００３４】
在室者が自らの意思でこのガードアーム装置を解除する場合は室内側から、一方、急病で倒れる、等の非常時には例えば管理室側から、このガードアーム装置のソレノイドへの通電を断つ。
【００３５】
すると、図９に示すように、リリースばね１８の弾力により、掛け金機構の操作杆としてのプランジャ１２は後方、すなわち右方に移動し、その結果ラッチ体１３とガードアーム４との係合が解かれるので、ガードアーム装置は解除され、引戸を開放することが可能となる。
【００３６】
なお、図示の実施例ではガードアーム４の自由端が引戸の戸先から常時突出しており、引戸を閉鎖すると自動的にガードアーム装置が作動するように構成されているが、出入り毎にガードアーム装置を解除するのが煩雑である場合には、ソレノイド９への通電を断っておけばガードアーム装置は作動しない。
【００３７】
また、ガードアーム４の自由端を関節を介して折り畳み可能にしておけば（図示せず）、そもそもガードアームは引戸外に突出しないからガードアーム装置が自動的に作動することもない。
【００３８】
図１０乃至図１２はこの発明の第２の実施例を示しており、図中符号１３は大体の形状が包丁のような形をしたレバー体としてのラッチ体を示す。
【００３９】
このラッチ体１３は、その一部を操作杆としてのプランジャ１２の前端部に形成されたスリワリ１９内に収納されており、中央部をピン２１により水平面内で自由に回動できるように軸支されている。
【００４０】
そして、ピン２１に巻装された捩りばねとしてのラッチばね１５の弾力により、ラッチ体１３はその回動軸であるピン２１より前方（図１０で左方）の部分が固定面板のスリット５ｂに近接する方向に、すなわち図１０では反時計方向に付勢されている。
【００４１】
なお、ラッチ体１３の包丁の柄に相当する部分がプランジャの外側面に当接し、ラッチ体１３の回動軸より前方の係合部がスリット５ｂに近接しない方向に回り止が施されている。
【００４２】
なお、図中符号２２はスリワリ１９内にラッチばね１５を収納するスペースを確保するためのカラーを示す。
【００４３】
また、他の構成は前記した第１の実施例と同様であるから、更に詳細な説明は省略する。
【００４４】
上記のように構成されたこの発明の第２の実施例による引戸のガードアーム装置は、図１２に示すように、引戸閉鎖の直前に、ガードアーム４の自由端がラッチ体１３を倒し、更にガードアーム４が奥に挿入されると、ラッチばね１５の弾力によりラッチ体１３のピン２１より前方の係合部がガードアームの係合孔に自動的に投入される（図示せず）。
【００４５】
ラッチ体１３とガードアーム４とが係合すると、図１０に示すように、ラッチ体１３の回り止の機能により、ガードアーム４とラッチ体１３との係合は解けなくなる。
【００４６】
しかしながら、ソレノイド９への通電を断つと、ラッチ体１３はガードアーム４の係合から抜け出て後方に移動するので（図９参照）、この発明の第２の実施例による引戸のガードアーム装置は解除される。
【００４７】
【発明の効果】
以上の説明から明らかなように、この発明は、ガードアームの自由端を単に固定面板のスリットに挿入するだけでガードアーム装置を作動させることができ、また、非常時には室外側から容易にガードアーム装置を解除することを可能にする。
【００４８】
また、電磁アクチュエータへの通電を断つことによってガードアーム装置を解除するようにしたので、地震や火災等停電しやすい緊急時にも安全が確保できる、等種々の効果を奏する。
【図面の簡単な説明】
【図１】  この発明による引戸のガードアーム装置の構成を示す線図。
【図２】  移動ケースの正面図。
【図３】  移動ケースの一部断面側面図。
【図４】  この発明の第１の実施例による掛け金機構を内蔵した固定ケースの正面図。
【図５】  この発明の第１の実施例による固定ケースの一部断面平面図で、引戸のガードアーム装置が作動していない状態を示す。
【図６】  図５のＶＩ−ＶＩ線によるばね受け板の正面図。
【図７】  図５と同様の固定ケースの一部断面平面図で、引戸のガードアーム装置が作動している状態を示す。
【図８】  この発明の第１の実施例による引戸のガードアーム装置の一部断面側面図で、ガードアーム装置が作動している状態を示す。
【図９】  図５と同様と固定ケースの一部断面平面図で、引戸のガードアーム装置が解除された状態を示す。
【図１０】  この発明の第２の実施例による固定ケースの一部断面平面図で、引戸のガードアーム装置が作動していない状態を示す。
【図１１】  この発明の第２の実施例によるラッチ体の側面図。
【図１２】  図１０と同様の固定ケースの一部断面平面図で、引戸のガードアーム装置がセットされる状態を示す。
【符号の説明】
１  引戸
２  戸枠
３  移動ケース
４  ガードアーム
５  固定ケース
５ｂ  スリット
７  係合孔
９  ソレノイド
１１  掛け金機構
１２  プランジャ
１３  ラッチ体
１５  ラッチばね
１６  傾斜面
１８  リリースばね
【図１】
0003639934.tif 000002
【図２】
0003639934.tif 000003
【図３】
0003639934.tif 000004
【図４】
0003639934.tif 000005
【図５】
0003639934.tif 000006
【図６】
0003639934.tif 000007
【図７】
0003639934.tif 000008
【図８】
0003639934.tif 000009
【図９】
0003639934.tif 000010
【図１０】
0003639934.tif 000011
【図１１】
0003639934.tif 000012
【図１２】
0003639934.tif 000013